(57)【要約】【課題】本発明は足に装着させて、健康を保つための重要なツボが集中している足裏を特に温め、血液の流れを活性化させ、一日の疲れを癒し、快適な朝が迎えられる足裏を温めるための発熱性サポーターを提供することを目的とする。【解決手段】靴下形状のサポーター本体１の先端部をカットして、足指が露出されるようにカット面２を設け、サポーター本体１の後方下部をカットして、踵が露出されるようにカット面３を設け、且つ、サポーター本体１が吸湿発熱繊維の布地によって縫製された構造と成す。またカット面３を設けずに、吸湿性と吸汗性及び速乾性を少なくとも有した布地によって縫製された踵部分を形成したものとしても良い。【選択図】図１
2014054345.tif 000002
【特許請求の範囲】
【請求項１】
靴下形状のサポーター本体（１）の先端部をカットして、足指が露出されるようにカット面（２）を設け、前記サポーター本体（１）の後方下部をカットして、踵が露出されるようにカット面（３）を設け、且つ、前記サポーター本体（１）が吸湿発熱繊維の布地によって縫製されたことを特徴とする足裏を温めるための発熱性サポーター。
【請求項２】
靴下形状のサポーター本体（１）の先端部をカットして、足指が露出されるようにカット面（２）を設け、前記サポーター本体（１）が吸湿発熱繊維の布地によって縫製されると共に前記サポーター本体（１）の踵が被覆される踵部分（４）が吸湿性と吸汗性及び速乾性を少なくとも有した布地によって縫製されたことを特徴とする足裏を温めるための発熱性サポーター。
【発明の詳細な説明】
【技術分野】
【０００１】
本発明は足に装着させて、心地良い温かさで足裏等を温めると共に小さな負荷を掛け、サポーターの圧迫が筋肉量をアップさせ、且つ、脂肪の燃焼が促進される足裏を温めるための発熱性サポーターに関する。
【背景技術】
【０００２】
一般にサポーターは、長年の酷使や不慮の事故などにより、弱った筋肉や関節の痛みを生じた時、或いは歩行時の筋肉痛や足の痛み等を生じた時などに用いられる。サポーターを装着すると、その締付けによって、ある程度痛みを軽減して緩和させると共に、歩行時の筋肉痛や足の痛み等を軽減或いは緩和し、快適な歩きを実現することが可能となる。
【０００３】
しかしながら、運動用の足首用サポーターを装着させると、締付け具合が強過ぎて苦痛を伴う場合があった。また夏場にサポーターを長時間装着していると、装着部が蒸れて汗ばんで不快になり易く、且つ、足首用サポーターが装着されたまま靴を履くと、靴の中に入りにくくなり、靴を履いても足が締付けられ、足に痛みが生じていた。
【０００４】
一方、従来の靴下を装着して靴を履くと、足がつま先まで覆われており、通気性が悪いため足の指の股などが直ぐに蒸れて不潔であり、水虫の温床となりがちであった。また水虫になった際は、水虫が治りにくい状態でもあった。このため、靴下の指先部分をカットして通気性を良くして足全体の血流を促し、足指を開放することにより、通気性が良くなって清潔を保つことが出来る靴下としては、例えば特開平１０−５３９０２号などが提案されている。しかしながら特開平１０−５３９０２号は、本願のように足裏を温めながら小さな負荷を掛けることはできないと共に本願とは目的が異なるものであった。
【０００５】
尚、最近、「加圧トレーニング」が話題になっている。これは、低負荷（最大筋力の２０〜３０％）で短時間（３０分程度）でも短期間にダイエットと瘠身効果が得られるというものである。この原理は、ウエイトトレーニングでは筋肉（筋繊維）に負荷をかけて損傷させ、時間を置き回復させる事が効果を出す主なポイントであるのに対して、加圧トレーニングは体内循環を変化させる事が目的であり、筋肉の損傷は少ないので、回復にかかる時間が大幅に短縮されるため、短期間でも効果が出易くなる。また、低負荷を加えると、人間の身体は軽い運動でも「激しい運動をしている」と錯覚し、脂肪燃焼を盛んに促すようになるということも知られているようである。
【先行技術文献】
【特許文献】
【０００６】
【特許文献１】特開平１０−５３９０２号公報
【発明の概要】
【発明が解決しようとする課題】
【０００７】
本発明は足に装着させて、健康を保つための重要なツボが集中している足裏を特に温め、血液の流れを活性化させ、一日の疲れを癒し、快適な朝が迎えられる足裏を温めるための発熱性サポーターを提供することを目的とする。
【課題を解決するための手段】
【０００８】
本発明は上記現状に鑑みて成されたものであり、つまり、靴下形状のサポーター本体の先端部をカットして、足指が露出されるようにカット面を設け、サポーター本体の後方下部をカットして、踵が露出されるようにカット面を設け、且つ、サポーター本体が吸湿発熱繊維の布地によって縫製された構造と成す。また、靴下形状のサポーター本体の先端部をカットして、足指が露出されるようにカット面を設け、サポーター本体が吸湿発熱繊維の布地によって縫製されると共にサポーター本体の踵を被覆する踵部分が、吸湿性と吸汗性及び速乾性を少なくとも有した布地によって縫製された構造と成しても良い。
【発明の効果】
【０００９】
請求項１のように靴下形状のサポーター本体（１）の先端部をカットして、足指が露出されるようにカット面（２）を設け、サポーター本体（１）の後方下部をカットして、踵が露出されるようにカット面（３）を設け、且つ、サポーター本体（１）が吸湿発熱繊維の布地によって縫製されることにより、本発明品を足に装着させると、健康を保つための重要なツボが集中している足裏を心地良い温かさで集中的に温めることが出来るため、血液の流れを活性化させ、一日の疲れを癒し、快適な朝を迎えるリカバリー効果が得られるものとなる。更にサポーター本体（１）の圧迫が筋肉量をアップするだけでなく、脂肪の燃焼を促進させる効果が得られることが期待できるものとなる。又、サポーター本体（１）を夏場に装着して靴を履いても、靴の蒸れが殆どなく、装着したままであっても快適なものとなる。
【００１０】
請求項２のように靴下形状のサポーター本体（１）の先端部をカットして、足指が露出されるようにカット面（２）を設け、サポーター本体（１）が吸湿発熱繊維の布地によって縫製されると共にサポーター本体（１）の踵を被覆する踵部分（４）が、吸湿性と吸汗性及び速乾性を少なくとも有した布地によって縫製されることにより、請求項１と同様な効果が得られると共に、踵部分（４）が冷却されることにより、夏場が過ごし易いものとなる。更に足裏のツボ部分と踵部分（４）との温度差が大きくなるので、ツボに対する加温がより有効に作用可能となる。
【図面の簡単な説明】
【００１１】
【図１】本発明の実施形態を示す説明図である。
【図２】本発明の他の実施形態を示す説明図である。
【図３】本発明の使用状態を示す説明図である。
【発明を実施するための形態】
【００１２】
本発明の実施形態を図１に基づいて説明する。（１)は靴下形状に形成したサポーター本体であり、該サポーター本体（１）には、上方から足を入れる挿入開口部（11）が設けられている。（２）はサポーター本体（１）の先端部をカットして、足指が露出されるように設けたカット面である。（３）はサポーター本体（１）の後方下部をカットして、踵が露出されるように設けたカット面である。前記挿入開口部（11）の直径を、足首が適宜に締付けられてずれ落ちない程度の大きさとし、前記カット面（２）の直径を、足先部が適宜に締付けられる程度の大きさとし、サポーター本体（１）の接触している部分には、適宜に締付けられる程度の力が作用する。
【００１３】
又、前記サポーター本体（１）は吸湿発熱繊維で且つ弾性を有した布地によって縫製されており、この吸湿発熱繊維は、湿気を吸って熱を出し、心地良い温度が確保されるものである。前記吸湿発熱繊維やその布地としては、例えば、東洋紡ＡＰ事業部製のモイスケア（登録商標名）や、ユニクロ製のヒートテック（登録商標名）と同質材料などを用いるのが好ましく、更に肌に心地良く、肌や空気中の水蒸気を吸湿し、素材が発熱し、熱を逃がしにくい構造をもつ東レ製の「ウォームサーバ繊維」を編み込んだ布を用いても良い。尚、前記サポーター本体（１）は、通気性や吸湿発熱機能を有した不織布を用いても良い。
【００１４】
図２は本発明の他の実施形態を示す図であり、これは前記実施形態に比べ、サポーター本体（１）の踵部分（４）にはカット面（３）がなく、踵は踵部分（４）によって被覆されている。又、前記サポーター本体（１）は吸湿発熱繊維で且つ弾性を有した布地によって縫製されていると共に前記踵部分（４）は吸湿性と吸汗性及び速乾性を少なくとも有した布地によって縫製されている。尚、前記サポーター本体（１）の足先部にはカット面（２）がなく、足先部が前記踵部分（４）と同様に被覆されるようにしても良い。
【００１５】
この踵部分（４）の速乾性は、合成繊維を改質して吸湿性や吸汗性を高め、吸収した汗は素早く放出されて速乾性を有するものとなる。また踵部分（４）の吸湿性は、気体の汗を吸う性質で主に繊維の化学的な組成で決まり、踵部分（４）の吸汗性は、液体の汗を吸う性質で繊維の単位質量当りの表面積を大きくすると向上し、且つ、その毛細管現象で吸水性（吸汗性）が向上するものとなる。尚、本発明で言う「吸汗性」は吸水性と略同じ意味で用いるものとする。前記踵部分（４）は、触った時に冷やっとする接触冷感を有する。この素材は繊維中に水分を多く含むことができ、熱伝導率が高いものである。このように肌に触れて涼しく感じる素材としては、例えば、クラレ製の「ソフィスタ」の素材，ユニクロ製・東レ製の「サラフィン／シルキードライ」と同質材料,ダイワボウ製の「クールドライ（登録商標）」を用いた布地などを用いるのが好ましい。尚、本発明で言う「接触冷感」を得るには、湿気や汗を吸収し且つそれを素早く発散して放出する際に生じる気化熱による冷却と、湿気や汗を吸収すると熱が吸収される性質を備えた布地による冷却と、その両方による冷却とがある。
【００１６】
次に本発明の作用について説明する。先ず始めに図１或いは図２に示すサポーター本体（１）を足に装着すると、サポーター本体（１）が足の甲や足裏及び足首に接触してその肌の湿気を吸収し、そこに熱が生じるので、その熱によって足の甲や足裏及び足首とその周辺を温めると共に足の甲や足裏及び足首には常時小さな負荷が加わるため、足の甲や足裏及び足首更にはそれらの周辺の血行を促進させ、サポーター本体（１）の圧迫によって筋肉量をアップさせるだけでなく、脂肪の燃焼を促進させるものとなるのである。またサポーター本体（１）の熱で脂肪が燃焼されて、特に足裏が温められると、足裏にある健康を保つための重要なツボが心地良く温められ、血液の流れを活性化させ、一日の疲れを癒し、快適な朝を迎えるリカバリー効果が得られるものとなる。尚、この時、足裏は、足指付近と踵付近が露出又は冷却されるため、ツボが集中する部分だけ温められるので、発熱効果がより有効に作用可能なものとなる。更にサポーター本体（１）の圧迫が筋肉量をアップするだけでなく、脂肪の燃焼を促進させる効果が得られることが期待できるものとなる。又、サポーター本体（１）を夏場に装着して靴を履いても、靴の蒸れが殆どなく、足に装着したままであっても快適なものとなる。
【符号の説明】
【００１７】
１  サポーター本体
２，３  カット面
４  踵部分
【図１】
2014054345.tif 000003
【図２】
2014054345.tif 000004
【図３】
2014054345.tif 000005